(57)【要約】【課題】画像を読み取った原稿の枚数が多くても、特定の原稿種別に該当する原稿のプレビュー表示画像をユーザに容易に確認させることが可能な画像処理装置を実現する。【解決手段】画像処理装置１０２は、画像入力装置１０１にて読み取った複数の原稿の各々について、所定の複数の原稿種別のうち、当該原稿の原稿種別がいずれの原稿種別に該当するかを、当該原稿を表わす入力画像データに基づいて判定する原稿種別自動判別部５と、上記画像を読み取った原稿について、原稿種別自動判別部５による判定の結果得られた複数の原稿種別のうち、一の原稿種別に該当する原稿のみ、その画像を画像表示装置１０４にプレビュー表示するための表示用画像データを生成し、画像表示装置１０４に出力する制御部１０８と、を備えている。【選択図】図１
2010258798.tif 000002
【特許請求の範囲】
【請求項１】
画像読取装置にて原稿の画像を読み取ることにより得られた入力画像データから、画像印刷ジョブ、画像送信ジョブ、画像ファイリングジョブのうちのいずれかのジョブで取り扱われる出力画像データを生成して当該ジョブを実行するジョブ装置に出力する出力制御手段を備えた画像処理装置であって、
上記画像読取装置にて読み取った複数の原稿の各々について、所定の複数の原稿種別のうち、当該原稿の原稿種別がいずれの原稿種別に該当するかを、当該原稿を表わす上記入力画像データに基づいて判定する原稿種別判定手段を備え、
上記出力制御手段は、上記画像を読み取った原稿について、上記原稿種別判定手段による判定の結果得られた複数の原稿種別のうち、一の原稿種別に該当する原稿のみ、その画像を画像表示装置でプレビュー表示するための表示用画像データを生成し、当該画像表示装置に出力することを特徴とする画像処理装置。
【請求項２】
上記出力制御手段は、上記判定の結果得られた複数の原稿種別の各々について、当該原稿種別を上記画像表示装置に表示するとともに上記画像を読み取った原稿のうち当該原稿種別に該当する原稿の枚数を上記画像表示装置に表示することを特徴とする請求項１に記載の画像処理装置。
【請求項３】
上記原稿種別判定手段は、上記画像読取装置にて上記原稿の画像をカラーとして読み取ることにより得られた入力画像データであるカラー画像データに基づいて、上記原稿がカラー原稿であるかモノクロ原稿であるかを判定するカラーモノクロ判定手段を含んでいることを特徴とする請求項１または２に記載の画像処理装置。
【請求項４】
上記原稿種別判定手段は、上記原稿がブランク原稿であるか否かを上記入力画像データに基づいて判定するブランク原稿判定手段を含んでいることを特徴とする請求項１から３のいずれか１項に記載の画像処理装置。
【請求項５】
上記出力制御手段は、上記原稿が上記ブランク原稿判定手段により上記ブランク原稿であると判定された原稿である場合に、当該原稿のみ上記表示用画像データを生成して上記画像表示装置に出力することに代えて、当該原稿と当該原稿の一枚前および一枚後に読み取られた原稿の少なくとも一方とについて上記表示用画像データを生成して上記画像表示装置に出力することを特徴とする請求項４に記載の画像処理装置。
【請求項６】
上記出力制御手段は、上記画像表示装置にて画像をプレビュー表示する原稿が上記ブランク原稿判定手段によりブランク原稿と判定された原稿である場合には、上記表示用画像データである第１の表示用画像データについて、上記ブランク原稿の原稿色を表わす階調値との階調差が所定の閾値以下であり、当該階調値と異なる階調値を上記階調差がより大きくなるように変換して得た第２の表示用画像データを上記画像表示装置に出力することを特徴とする請求項４または５に記載の画像処理装置。
【請求項７】
上記出力制御手段は、上記表示用画像データを生成した原稿が上記画像読取装置によって何枚目に読み取られたかを上記画像表示装置に表示することを特徴とする請求項１から６のいずれか１項に記載の画像処理装置。
【請求項８】
設定に応じた出力画像データの生成を行うための原稿種別の設定をユーザから受け付ける原稿種別受付手段であって、上記画像表示装置が画像をプレビュー表示している原稿の原稿種別と異なる原稿種別の設定をユーザから受け付け可能な原稿種別受付手段をさらに備えていることを特徴とする請求項１から７のいずれか１項に記載の画像処理装置。
【請求項９】
請求項１から８のいずれか１項に記載の画像処理装置、および画像読取装置を備えていることを特徴とする画像読取処理装置。
【請求項１０】
請求項１から８のいずれか１項に記載の画像処理装置およびジョブ装置を有し、上記ジョブ装置が印刷装置であることを特徴とする画像形成装置。
【請求項１１】
画像読取装置にて原稿の画像をカラーとして読み取ることにより得られた入力画像データから、画像印刷ジョブ、画像送信ジョブ、画像ファイリングジョブのうちのいずれかのジョブで取り扱われる出力画像データを生成して当該ジョブを実行するジョブ装置に出力する出力制御工程を含んだ画像処理方法であって、
上記画像読取装置にて読み取った複数の原稿の各々について、所定の複数の原稿種別のうち、当該原稿の原稿種別がいずれの原稿種別に該当するかを、当該原稿を表わす上記入力画像データに基づいて判定する原稿種別判定工程を含み、
上記出力制御工程にて、上記画像を読み取った原稿について、上記原稿種別判定工程における判定の結果得られた複数の原稿種別のうち、一の原稿種別に該当する原稿のみ、その画像を画像表示装置でプレビュー表示するための表示用画像データを生成し、当該画像表示装置に出力することを特徴とする画像処理方法。
【請求項１２】
請求項１から８のいずれか１項に記載の画像処理装置を動作させるプログラムであって、コンピュータを上記の各手段として機能させるための画像処理プログラム。
【請求項１３】
請求項１２に記載の画像処理プログラムを記録しているコンピュータ読み取り可能な記録媒体。
【発明の詳細な説明】
【技術分野】
【０００１】
本発明は、入力画像データのサムネイルやプレビューの表示を行う画像処理装置、画像読取処理装置、画像形成装置、画像処理方法、画像処理プログラムおよびコンピュータ読み取り可能な記録媒体に関するものである。
【背景技術】
【０００２】
複写機や複合機などの画像形成装置は、原稿種別や設定条件（印刷濃度，変倍処理の倍率，片面印刷または両面印刷，余白サイズ等）に応じて、印刷対象の画像を示す画像データに画像処理を施す。さらに、画像形成装置には、上記画像処理が施された画像データに基づいて、印刷対象の画像のプレビューを表示装置の表示部に表示するものも存在する。なお、プレビュー表示の形態には、印刷対象の画像を表示部に１頁ずつ表示する形態や、複数頁からなる印刷対象の画像を一度に表示部に表示する形態がある。
【０００３】
特許文献１には、複数の原画像の各々について、プレビューされている画像がカラー処理されたシアン（Ｃ）、マゼンタ（Ｍ）、およびイエロー（Ｙ）のトナーを使って出力される白黒画像なのか、ブラック（Ｂｋ）単色のトナーを使って出力される白黒画像なのかを判別するとともにその判別結果をプレビュー画像に表示し、プレビュー画像ごとに、その判別結果が表わすトナーを使用して出力するか、または、当該トナーと異なるトナーを使用して出力するかについての指定をユーザから受け付けることが可能な画像処理装置が開示されている。
【０００４】
また、特許文献２には、複数の原稿画像の各々について原稿画像が表わす原稿が白紙であるか否かを判定し、白紙判定された原稿画像については保存しない設定をデフォルトとし、白紙ではないと判定された原稿画像については保存する設定をデフォルトとした、原稿画像毎に保存・非保存の設定をユーザが行うことが可能な設定画面をプレビュー時に表示する画像読み取りシステムが開示されている。
【先行技術文献】
【非特許文献】
【０００５】
【特許文献１】特許３９３８５４９号公報（平成１６年８月１２日公開）
【特許文献２】特開２００７−２０８６１８号公報（平成１９年８月１６日公開）
【発明の概要】
【発明が解決しようとする課題】
【０００６】
しかしながら、上記従来の構成では、画像を読み取った複数の原稿について原稿種別を判定した結果複数の原稿種別が判定された場合、そのうちの一の原稿種別に該当する原稿のプレビュー表示画像のみ確認することをユーザが希望しても、該当するプレビュー表示画像を全プレビュー表示画像の中から探し出すことは容易ではないという問題を生じる。そして、この問題は、画像を読み取った原稿の枚数が多いほどより顕著になる。
【０００７】
本発明は、上記の問題点に鑑みてなされたものであり、その目的は、画像を読み取った原稿の枚数が多くても、特定の原稿種別に該当する原稿のプレビュー表示画像をユーザに容易に確認させることが可能な画像処理装置を実現することにある。
【課題を解決するための手段】
【０００８】
本発明の画像処理装置は、上記課題を解決するために、画像読取装置にて原稿の画像を
読み取ることにより得られた入力画像データから、画像印刷ジョブ、画像送信ジョブ、画像ファイリングジョブのうちのいずれかのジョブで取り扱われる出力画像データを生成して当該ジョブを実行するジョブ装置に出力する出力制御手段を備えた画像処理装置であって、上記画像読取装置にて読み取った複数の原稿の各々について、所定の複数の原稿種別のうち、当該原稿の原稿種別がいずれの原稿種別に該当するかを、当該原稿を表わす上記入力画像データに基づいて判定する原稿種別判定手段を備え、上記出力制御手段は、上記画像を読み取った原稿について、上記原稿種別判定手段による判定の結果得られた複数の原稿種別のうち、一の原稿種別に該当する原稿のみ、その画像を画像表示装置でプレビュー表示するための表示用画像データを生成し、当該画像表示装置に出力することを特徴としている。
【０００９】
上記の構成によれば、画像処理装置は、画像読取装置にて読み取った複数の原稿の各々について判定された原稿種別に複数の原稿種別が存在している場合に、一の原稿種別に該当する原稿のみを画像表示装置にプレビュー表示する。
【００１０】
これにより、画像処理装置は、一の原稿種別に該当する原稿のプレビュー表示画像をユーザに容易に確認させることができるという効果を奏する。
【００１１】
本発明の画像処理装置は、上記課題を解決するために、画像読取装置にて原稿の画像をカラーとして読み取ることにより得られた入力画像データから、画像印刷ジョブ、画像送信ジョブ、画像ファイリングジョブのうちのいずれかのジョブで取り扱われる出力画像データを生成して当該ジョブを実行するジョブ装置に出力する出力制御工程を含んだ画像処理方法であって、上記画像読取装置にて読み取った複数の原稿の各々について、所定の複数の原稿種別のうち、当該原稿の原稿種別がいずれの原稿種別に該当するかを、当該原稿を表わす上記入力画像データに基づいて判定する原稿種別判定工程を含み、上記出力制御工程にて、上記画像を読み取った原稿について、上記原稿種別判定工程における判定の結果得られた複数の原稿種別のうち、一の原稿種別に該当する原稿のみ、その画像を画像表示装置でプレビュー表示するための表示用画像データを生成し、当該画像表示装置に出力することを特徴としている。
【００１２】
上記の構成によれば、本発明の画像処理装置と同様の作用効果を奏する。
【００１３】
上記画像処理装置は、上記出力制御手段が、上記判定の結果得られた複数の原稿種別の各々について、当該原稿種別を上記画像表示装置に表示するとともに上記画像を読み取った原稿のうち当該原稿種別に該当する原稿の枚数を上記画像表示装置に表示することが望ましい。
【００１４】
上記の構成によれば、ユーザは、原稿種別ごとに、当該原稿種別と判定されると想定していた原稿の枚数と実際に当該原稿種別であると判定された枚数との差を認識することができるようになるので、画像処理装置は、誤判定された原稿をユーザに容易に発見させることができるというさらなる効果を奏する。
【００１５】
上記画像処理装置は、上記原稿種別判定手段が、上記画像読取装置にて上記原稿の画像をカラーとして読み取ることにより得られた入力画像データであるカラー画像データに基づいて、上記原稿がカラー原稿であるかモノクロ原稿であるかを判定するカラーモノクロ判定手段を含んでいることが望ましい。
【００１６】
上記の構成によれば、画像処理装置は、カラー原稿のプレビュー表示画像のみ、またはモノクロ原稿のプレビュー表示画像のみをユーザに容易に確認させることができるというさらなる効果を奏する。
【００１７】
上記画像処理装置は、上記原稿種別判定手段が、上記原稿がブランク原稿であるか否かを上記入力画像データに基づいて判定するブランク原稿判定手段を含んでいることが望ましい。
【００１８】
上記の構成によれば、画像処理装置は、ブランク原稿の画像のみをユーザに容易に確認させることができるというさらなる効果を奏する。
【００１９】
上記画像処理装置は、上記出力制御手段が、上記原稿が上記ブランク原稿判定手段により上記ブランク原稿であると判定された原稿である場合に、当該原稿のみ上記表示用画像データを生成して上記画像表示装置に出力することに代えて、当該原稿と当該原稿の一枚前および一枚後に読み取られた原稿の少なくとも一方とについて上記表示用画像データを生成して上記画像表示装置に出力することが望ましい。
【００２０】
上記の構成によれば、画像処理装置は、ブランク原稿であると判定された原稿の画像を画像表示装置にプレビュー表示するともに、当該原稿が画像読取装置で最初に読み取られた原稿である場合は一枚後に読み込まれた原稿の画像もプレビュー表示し、最後に読み取られた原稿である場合は一枚前に読み込まれた原稿の画像もプレビュー表示し、最後に読み取られた原稿を除く二枚目以降に読み込まれた原稿である場合は前後いずれか、または前後の両方に読み込まれた原稿の画像をもプレビュー表示する。
【００２１】
これにより、ユーザは、ブランク原稿であると判定された原稿の前後に読み込まれた原稿がどのような原稿かがわかるので、画像処理装置は、ブランク原稿であると判定された原稿を読み取った原稿の中からユーザが探しだすことを容易にするというさらなる効果を奏する。
【００２２】
上記画像処理装置は、上記出力制御手段が、上記画像表示装置にて画像をプレビュー表示する原稿が上記ブランク原稿判定手段によりブランク原稿と判定された原稿である場合には、上記表示用画像データである第１の表示用画像データについて、上記ブランク原稿の原稿色を表わす階調値との階調差が所定の閾値以下であり、当該階調値と異なる階調値を上記階調差がより大きくなるように変換して得た第２の表示用画像データを上記画像表示装置に出力することが望ましい。
【００２３】
上記の構成によれば、上記画像処理装置は、ブランク原稿であると判定された原稿について、上記原稿色の階調値との階調差が所定の閾値以下である領域と上記原稿色の領域とをユーザが識別することを容易にする。
【００２４】
従って、上記画像処理装置は、上記原稿色の階調値との階調差が所定の閾値以下である階調値により大部分が構成された文字や絵柄等（すなわち確認しづらい文字や絵柄等）をユーザが確認することを容易にする。
【００２５】
これにより、画像処理装置は、上記文字や絵柄等を出力することを意図していた原稿がブランク原稿と判定されていることをユーザに容易に確認させることができるというさらなる効果を奏する。
【００２６】
上記画像処理装置は、上記出力制御手段が、上記表示用画像データを生成した原稿が上記画像読取装置によって何枚目に読み取られたかを上記画像表示装置に表示することが望ましい。
【００２７】
上記の構成によれば、画像処理装置は、プレビュー表示している原稿を読み取った原稿
の中からユーザが探しだすことを容易にするというさらなる効果を奏する。
【００２８】
上記画像処理装置は、設定に応じた出力画像データの生成を行うための原稿種別の設定をユーザから受け付ける原稿種別受付手段であって、上記画像表示装置が画像をプレビュー表示している原稿の原稿種別と異なる原稿種別の設定をユーザから受け付け可能な原稿種別受付手段をさらに備えていることが望ましい。
【００２９】
上記の構成によれば、画像処理装置は、プレビュー表示している画像について判定された原稿種別と異なる原稿種別の設定をユーザから受け付け、受け付けた原稿種別の設定に応じて出力画像データを出力する。
【００３０】
従って、画像処理装置は、判定された原稿種別がユーザの意図する原稿種別でない場合に、ユーザに、意図していた原稿種別設定での出力画像データの出力をさせることができるというさらなる効果を奏する。
【００３１】
また、本発明は、上記画像処理装置、画像読取装置を備えた画像読取処理装置であってもよいし、上記画像処理装置およびジョブ装置を有し、上記ジョブ装置が印刷装置である画像形成装置であってもよい。
【００３２】
なお、上記画像処理装置は、コンピュータによって実現してもよい。この場合、コンピュータを上記各手段として動作させることにより上記画像処理装置をコンピュータにおいて実現する画像処理プログラム、およびその画像処理プログラムを記録したコンピュータ読み取り可能な記録媒体も、本発明の範疇に入る。
【発明の効果】
【００３３】
本発明の画像処理装置は、以上のように、画像読取装置にて原稿の画像を読み取ることにより得られた入力画像データから、画像印刷ジョブ、画像送信ジョブ、画像ファイリングジョブのうちのいずれかのジョブで取り扱われる出力画像データを生成して当該ジョブを実行するジョブ装置に出力する出力制御手段を備えた画像処理装置であって、上記画像読取装置にて読み取った複数の原稿の各々について、所定の複数の原稿種別のうち、当該原稿の原稿種別がいずれの原稿種別に該当するかを、当該原稿を表わす上記入力画像データに基づいて判定する原稿種別判定手段を備え、上記出力制御手段は、上記画像を読み取った原稿について、上記原稿種別判定手段による判定の結果得られた複数の原稿種別のうち、一の原稿種別に該当する原稿のみ、その画像を画像表示装置でプレビュー表示するための表示用画像データを生成し、当該画像表示装置に出力する。
【００３４】
従って、画像処理装置は、一の原稿種別に該当する原稿のプレビュー表示画像をユーザに容易に確認させることができるという効果を奏する。
【図面の簡単な説明】
【００３５】
【図１】本実施形態の画像形成装置を示したブロック図であり、コピアモード且つフルカラーモードにて印刷処理を行う際の画像データの流れを示したブロック図である。
【図２】（ａ）は、コピアモード且つシングルカラーモードにて印刷処理が行われる際の画像処理装置内の一部を示したブロック図であり、（ｂ）は、コピアモード且つ２色カラーモードにて印刷処理が行われる際の画像処理装置内の一部を示したブロック図である。
【図３】本実施形態の画像形成装置が備える原稿種別自動判別部を示したブロック図である。
【図４】本実施形態の画像形成装置を示したブロック図であり、コピアモード且つフルカラーモードにてプレビュー表示処理を行う際の画像データの流れを示したブロック図である。
【図５】（ａ）は、コピアモード且つシングルカラーモードにてプレビュー表示が行われる際の画像処理装置内の一部を示したブロック図であり、（ｂ）は、コピアモード且つ２色カラーモードにてプレビュー表示が行われる際の画像処理装置内の一部を示したブロック図である。
【図６】（ａ）は、画像表示装置の表示特性に応じたガンマ曲線の一例を示した図である。（ｂ）は、文字をくっきりと表示させるためのガンマ曲線を実線で示し、画像表示装置の表示特性に応じたガンマ曲線を破線で示した図である。
【図７】コピアモード且つフルカラーモードが選択されている場合の画像形成装置の処理手順を示したフローチャートである。
【図８】コピアモードにおいてプレビュー表示の指示を行うための画面を示した図である。
【図９】本実施形態の画像形成装置がジョブ出力処理やプレビュー表示処理のために読み取った原稿について記憶装置に記憶される原稿のデータについて説明するための図である。
【図１０】（ａ）はプレビュー表示する原稿を選択するための原稿種別選択画面を示す図であり、（ｂ）〜（ｆ）は選択した原稿種別に応じて表示されるプレビュー表示画面を示した図である。
【図１１】選択した原稿について、判定された原稿種別と異なる原稿種別を設定してプレビュー表示するための画面を示した図である。
【図１２】プレビュー表示する原稿を選択するための原稿種別選択画面を示す図である。
【図１３】ブランク原稿であると判定された原稿、またはユーザによりブランク原稿として設定された原稿の画像データについて出力階調補正部が施すガンマ補正のガンマ曲線の一例を示した図である。
【図１４】本実施形態の画像形成装置を示したブロック図であり、ファクシミリ送信モードにて送信処理を行う際の画像データの流れを示した図である。
【図１５】本実施形態の画像形成装置を示したブロック図であり、ファクシミリ送信モードにてプレビュー表示処理を行う際の画像データの流れを示した図である。
【図１６】本実施形態の画像形成装置を示したブロック図であり、ファクシミリ受信モードにて印刷処理を行う際の画像データの流れを示した図である。
【図１７】本実施形態の画像形成装置を示したブロック図であり、ファクシミリ受信モードにてプレビュー表示処理を行う際の画像データの流れを示した図である。
【図１８】本実施形態の画像形成装置の変形例を示したブロック図である。
【図１９】本実施形態の画像形成装置を示したブロック図であり、コピアモード且つ白黒モードにて印刷処理を行う際の画像データの流れを示したブロック図である。
【図２０】本実施形態の画像形成装置を示したブロック図であり、コピアモード且つ白黒モードにてプレビュー表示処理を行う際の画像データの流れを示したブロック図である。
【発明を実施するための形態】
【００３６】
本発明の画像形成装置の一形態について図に基づいて説明する。図１は、本実施形態の画像形成装置１００の概略構成を示すブロック図である。
【００３７】
本実施形態の画像形成装置１００は、コピアモード・プリントモード・ファクシミリ送信モード・ファクシミリ受信モード・イメージ送信モードの中からいずれかのモードが選択されると、選択されたモードを実行するデジタルカラー複合機である。
【００３８】
コピアモード（複写モード）とは、画像データを読み込み（原稿を読み取って画像データを生成し）、この画像データの画像を用紙に印刷するモードを意味する。また、プリン
トモードとは、画像形成装置１００に接続されている端末装置から送られてくる画像データの画像を用紙に印刷するモードを意味する。ファクシミリ送信モードとは、原稿を読み取って得られる画像データを電話回線によって外部装置に送信する通常のファクシミリモードと、前記画像データをメールに添付してインターネットによって送信するインターネットファクシミリモードとを意味する。ファクシミリ受信モードとは、外部装置から画像データをファクシミリにて受信し、受信した画像データの画像を用紙に印刷するモードを意味する。イメージ送信モードとは、（１）原稿を読み取って生成した画像データを電子メールに添付して指定されたアドレスへ送信するモード（scan to e-mailモード）、（２）原稿を読み取って生成した画像データをユーザにより指定されたフォルダに送信するモード（scan to ftpモード）、（３）原稿を読み取って生成した画像データを画像形成装
置１００に装着されたＵＳＢメモリなどに送信するモード（scan to usbモード）を意味
する。なお、本実施形態においては、画像処理の動作上から、ファクシミリ送信モードとイメージ送信モードとを上記のように分類している。
【００３９】
また、コピアモード・プリントモードが選択されている場合、利用者は、白黒画像を出力する白黒モード，フルカラーの画像を出力するフルカラーモード，利用者の所望する１色のみからなる単色画像を出力するシングルカラーモード，利用者の所望する１色と黒色とからなる２色画像を出力する２色カラーモードのいずれかを選択できるようになっている。
【００４０】
例えば、コピアモードまたはプリントモードにおいて、利用者がシングルカラーモードを選択した場合、上記単色画像が印刷されることになる。また、コピアモードまたはプリントモードにおいて、利用者が２色カラーモードを選択した場合、上記２色画像の画像データが印刷される。なお、シングルカラーモードまたは２色カラーモードでは、利用者は、Ｒ（赤），Ｇ（緑），Ｂ（青），Ｃ（シアン），Ｍ（マゼンタ），Ｙ（イエロー）の中から所望の色を１つ選択することになる。
【００４１】
また、本実施形態では、コピアモードにおいて、自動判別モードを設定することが可能である。この自動判別モードが設定されている場合、画像形成装置１００は、複写対象がカラー原稿か白黒原稿であるかを判別する自動カラー判別処理（ＡＣＳ）およびブランク原稿判別処理を行い、カラー原稿と判別される場合は上記のフルカラーモードで出力処理を行い、白黒原稿と判別される場合は上記の白黒モードで出力処理を行うようになっている。また、ブランク原稿と判定された原稿は後段の処理が行われず、出力されない。
【００４２】
画像形成装置１００は、図１に示されるように、画像入力装置１０１、画像処理装置１０２、画像出力装置１０３、画像表示装置１０４、受信装置１０５、送信装置１０６、記憶装置１０７、制御部１０８を有している。
【００４３】
画像入力装置１０１は、コピアモード、ファクシミリ送信モード、イメージ送信モードにおいて、原稿を読み取り、画像データを生成する画像読取手段である。より具体的に説明すると、画像入力装置１０１は、ＣＣＤ（Charge Coupled Device）を備えたスキャナ
部を有し、原稿から反射してきた光を、ＲＧＢに色分解された電気信号（アナログの画像信号）に変換し、この電気信号を画像処理装置１０２に入力するものである。
【００４４】
なお、画像入力装置１０１は、上記のフルカラーモード，シングルカラーモード，２色カラーモードのいずれのモードが選択されている場合であっても、フルカラーにて原稿画像の読み取りを行う。また、画像入力装置１０１は、画像処理装置１０２において前述した自動カラー判別処理が行われる場合であってもフルカラーにて原稿画像の読み取りを行う。
【００４５】
画像処理装置１０２は、画像データ（画像信号）に対して画像処理を施す集積回路であり、ＡＳＩＣ（Application specific integrated circuit）から構成されるものである
。この画像処理装置１０２は、図１に示すように、Ａ/Ｄ（アナログ/デジタル）変換部２、シェーディング補正部３、入力処理部４、原稿種別自動判別部５、領域分離処理部６、圧縮部７、領域分離信号圧縮部８、復号部９、領域分離信号復号部１０、画質調整部１１、２色化処理部１２、色補正部１３、黒生成／下色除去部１４、空間フィルタ部１５、変倍部１６、出力階調補正部１７、中間調生成部１８の各ブロックを有している。画像処理装置１０２に含まれる各ブロックの処理内容については後で詳述する。
【００４６】
なお、画像処理装置１０２は、コピアモード、ファクシミリ送信モード、イメージ送信モードにおいて、画像入力装置１０１から送られてきた画像データに画像処理を行い、プリントモードにおいて、端末装置から送信されてきた画像データに画像処理を行い、ファクシミリ受信モードにおいて、外部装置から受信した画像データに画像処理を行うようになっている。そして、画像処理装置１０２は、コピアモード、プリントモード、ファクシミリ受信モードにおいて、画像処理を施した画像データを画像出力装置１０３に送信し、ファクシミリ送信モードにおいて、画像処理を施した画像データを送信装置１０６に送信するようになっている。また、画像処理装置１０２は、イメージ送信モードのscan to e-mailモードにおいて、画像処理を施した画像データをメール処理部（不図示）に送信し、scan to ftpモードにおいて、画像処理を施した画像データを所定のフォルダに送信し、scan to usbモードにおいて、画像処理を施した画像データを所定のＵＳＢメモリに送信するようになっている。
【００４７】
画像出力装置（プリンタ）１０３は、画像処理装置１０２から送られてきた画像データの画像を記録媒体（例えば紙等）上に印刷（形成）するものであり、例えば、電子写真方式またはインクジェット方式を用いたカラープリンタを挙げることができる。なお、本実施形態においての「印刷」とは、プリントモードにおける印刷、コピアモードでの印刷、ファクシミリ受信モードでの印刷のいずれかを意味する。
【００４８】
画像表示装置１０４は、画像形成装置１００の操作パネル（不図示）に備えられている液晶ディスプレイであり、カラー画像の表示が可能な表示手段である。また、画像表示装置１０４は、タッチパネルに覆われており、画像形成装置１００の入力インターフェイスとしての機能を有している。つまり、画像表示装置１０４には、画像形成装置１００に対して各種コマンドの入力を行うためのＧＵＩ（グラフィカルユーザインターフェイス）や操作ガイドが表示される。
【００４９】
また、本実施形態の画像形成装置１００では、コピアモードまたはファクシミリ受信モードにおいて、印刷実行前に、印刷対象となる画像のプレビューを画像表示装置１０４に表示することが可能になっている。さらに、本実施形態の画像形成装置１００では、ファクシミリ送信モードまたはイメージ送信モードにおける送信実行前において、送信対象となる画像のプレビューを画像表示装置１０４に表示することが可能になっている。
【００５０】
また、コピアモードまたはイメージ送信モードにおいて、フルカラーモードが選択されている場合はフルカラー画像のプレビューが表示され、シングルカラーモードが選択されている場合は単色画像のプレビューが表示され、２色カラーモードが選択されている場合は２色画像のプレビューが表示されるようになっている。
【００５１】
なお、画像表示装置１０４は、液晶ディスプレイに限定されるものではなく、液晶ディスプレイ以外の表示手段（例えば、有機ＥＬディスプレイ、プラズマディスプレイ等）であってもよい。
【００５２】
受信装置１０５は、電話回線またはインターネットに接続しており、ファクシミリ通信によって外部装置から画像データを受信する装置である。また、送信装置１０６は、電話回線またはインターネットに接続しており、画像入力装置１０１にて入力された画像データをファクシミリ通信によって外部装置へ送信する装置である。
【００５３】
記憶装置１０７は、画像処理装置１０２にて扱われる画像データを一旦保存するためのハードディスクである。
【００５４】
制御部１０８は、ＣＰＵ（Central Processing Unit）あるいはＤＳＰ（Digital Signal Processor）等のプロセッサを含むコンピュータであり、画像形成装置１００に備えら
れる各種ハードウェアを統括的に制御するものである。また、制御部１０８は、画像形成装置１００に備えられる各ハードウェア間のデータ転送を制御する機能も有する。
【００５５】
つぎに、コピアモード、ファクシミリ送信モード、ファクシミリ受信モード、イメージ送信モードの各モードにおいて、画像処理装置１０２の各ブロックにて実行される処理の内容を詳細に説明する。なお、本実施形態の画像処理装置１０２には、或るモードａが選択されている時は動作する一方で前記モードａとは異なるモードｂが選択されている時は動作しないようなブロックが存在する（モードａ、モードｂは、コピアモード、ファクシミリ送信モード、ファクシミリ受信モード、イメージ送信モードのいずれかである）。また、画像処理装置１０２には、選択されているモードに応じて処理内容を変更するブロックも存在する。さらに、画像処理装置１０２には、選択されているモードが同じであっても、印刷用（送信用）の画像データの処理時は動作する一方でプレビュー用の画像データの処理時は動作しないようなブロックや、印刷用（送信用）の画像データの処理時とプレビュー用の画像データの処理時とで処理内容を変更するブロックが存在する。そこで、以下では、画像処理装置１０２に含まれる各ブロックにて実行される処理の内容について、モード別に説明すると共に、印刷処理時（または送信処理時）とプレビュー表示時とで分けて説明する。
【００５６】
（１）コピアモード
（１−１）印刷処理時（画像印刷ジョブ時）
以下では、図１に基づいて画像処理装置１０２について説明するが、図１はコピアモードにおいて、フルカラーモードでの印刷処理または自動判別モードでフルカラー原稿であると判定された画像の印刷処理を行う際の画像処理装置１０２内の画像データの流れを示したものである事を述べておく。
【００５７】
Ａ／Ｄ（アナログ・デジタル）変換部２は、画像入力装置１０１から送られてきたカラー画像信号（ＲＧＢアナログ信号）をデジタルの画像データ（ＲＧＢデジタル信号）に変換するブロックである。シェーディング補正部３は、Ａ／Ｄ変換部２から送られてきた画像データに対して、画像入力装置１０１の照明系、結像系、撮像系で生じる各種の歪みを取り除く処理を施すブロックである。入力処理部４は、シェーディング補正部３より送られてくるＲＧＢの画像データのそれぞれに対してγ補正処理などの階調変換処理を施すブロックである。
【００５８】
原稿種別自動判別部５は、入力処理部４にてγ補正等の処理がなされたＲＧＢの画像データ（ＲＧＢの濃度信号）に基づき、画像入力装置１０１にて読み取られた原稿の種別の判定を行う。ここで、判定される原稿の種別としては、文字原稿、印刷写真原稿、文字と印刷写真とが混在した文字印刷写真原稿等がある。文字原稿、印刷写真原稿、文字印刷写真原稿等の判定は、原稿種別自動判別部５の原稿種別判定部５２により行われる。また、図３に示すように、原稿種別自動判別部５は、上記原稿種別判定部５２に加え、上記画像データに基づき、読み取られた原稿がカラー原稿であるか白黒原稿であるかの判別を行う
処理である自動カラー判別処理（ＡＣＳ：Auto Color Selection）を行うカラーモノクロ判定部５１とブランク原稿であるか否か（無地の原稿であるか否か）の判定処理を行うブランク原稿判定部５３とを備えている。そして、原稿種別自動判別部５から出力されるＲＧＢの画像データ、カラーモノクロ判定部５１による判定結果を示すカラーモノクロ判定信号、原稿種別判定部５２による判定結果を示す原稿種別判定信号、およびブランク原稿判定部５３による判定結果を示すブランク原稿判定信号が、領域分離処理部６および圧縮部７に入力するようになっている。なお、本実施形態において原稿種別自動判別部５は、上記３つの判定部を備えているが、必ずしも３つの判定部を備えている必要はなく、これらのうち少なくとも１つの判定部を備えていればよい。
【００５９】
領域分離処理部６は、原稿種別自動判別部５から送られてくるＲＧＢの画像データに基づき、入力画像の画素毎に、当該画素がどのような画像領域に分類されるのかを判別し、この判別結果を示す領域分離信号を生成する処理を行う。ここで、領域分離処理部６において判別される画像領域には、黒文字領域，色文字領域，網点領域等がある。なお、領域分離処理は、画素毎に画像領域の判定を行う形態ではなく、複数の画素よりなるブロック毎に画像領域の判定が行われる形態であってもよい。
【００６０】
圧縮部７は、原稿種別自動判別部５から送られてくる画像データ（ＲＧＢ信号）を符号化する処理を行うブロックである。なお、上記符号化は、例えばＪＰＥＧ(Joint Photographic Experts Group)方式に基づいて行われる。
【００６１】
領域分離信号圧縮部８は、画素毎に生成された領域分離信号に対して圧縮処理を施すブロックである。なお、領域分離信号圧縮部８における圧縮処理は、例えば、可逆圧縮方法であるＭＭＲ（Modified Modified Reed）方式、ＭＲ（Modified Reed）方式に基づいて
行われる。
【００６２】
制御部１０８は、圧縮部７から出力された符号化コード（符号化された画像データ）と領域分離信号圧縮部８から出力された領域分離信号コード（圧縮された領域分離信号）とカラーモノクロ判定信号およびブランク原稿判定信号に基づいて生成される原稿種別データとを関連づけて一旦記憶装置１０７に保存し、ファイリングデータとして管理する。ここで、本実施形態における原稿種別データは、カラーモノクロ判定信号およびブランク原稿判定信号に基づいて生成されるが、原稿種別データは、カラーモノクロ判定信号、ブランク原稿判定信号、および原稿種別判定信号の少なくとも１種類の信号に基づいて生成されるものであればよい。そして、制御部１０８は、コピー出力動作が指示された場合、記憶装置１０７から上記の符号化コードおよび当該符号化コードに対応する領域分離信号コードを読み出し、復号部９、領域分離信号復号部１０にそれぞれ引き渡す。なお、原稿種別データがブランク原稿を表わす場合には上記読み出しを行わない。すなわち、この原稿は画像出力装置１０３において印刷されないことになる。
【００６３】
なお、制御部１０８は、上記符号化コードの保存アドレスまたはデータ名と、領域分離信号コードの保存アドレスとを対応付けて管理テーブルに記入する。つまり、制御部１０８は、当該管理テーブルを用いて、符号化コードおよび領域分離信号コードの読み出しまたは書き込みの制御を行っている。
【００６４】
復号部９は、上記符号化コードに対して復号化処理を施すことによって、上記符号化コードをＲＧＢの画像データに伸張する。また、領域分離信号復号部１０は、上記領域分離信号コードに対して復号化処理を施す。復号化した領域分離信号は、黒生成／下色除去部１４、空間フィルタ部１５、中間調生成部１８に引き渡される。そして、黒生成／下色除去部１４、空間フィルタ部１５、中間調生成部１８においては、画像領域の種類に応じて画像処理内容の切替えが行われる。
【００６５】
画質調整部１１は、復号部９から送られてくるＲＧＢの画像データについて、下地の検出を行って下地除去補正を行う。さらに、画質調整部１１は、ユーザによって操作パネル（不図示）から入力される設定情報に基づいて、ＲＧＢのバランス（カラー調整、赤み青みといった全体のカラー調整）、明るさ、鮮やかさの調整を行う。
【００６６】
さらに、画質調整部１１は、シングルカラーモードが選択されている場合、ＲＧＢの画像データを、ＲＧＢの補色となるＣＭＹの画像データに変換する処理を行う。ここで、シングルカラーモードにおいてのＲＧＢの画像データからＣＭＹの画像データへの変換処理は、下記の式１を用いることによって実行される。なお、式１における係数ｒ１〜ｒ３は〔表１〕に基づいて定められる。例えば、利用者がシングルカラーモードにおいて所望の色としてシアンを選択している場合、〔表１〕の「Ｃｙａｎ」の欄に属するｒ１〜ｒ３の値が参照され、ｒ１＝１，ｒ２＝０，ｒ３＝０が選択されることになる。
【００６７】
【数１】
2010258798.tif 000003
【００６８】
【表１】
2010258798.tif 000004
【００６９】
さらに、画質調整部１１は、白黒モードが選択されている場合、または自動判別モードにおいてモノクロ原稿と判定された場合、ＲＧＢの画像データを、Ｋ単色の画像データに変換する処理を行う。ここで、白黒モードまたは自動判別モードにおいてモノクロ原稿と判定された場合においてのＲＧＢの画像データからＫの画像データへの変換処理は、下記の式２を用いることによって実行される。
【００７０】
【数２】
2010258798.tif 000005
【００７１】
図１９は、図１の画像形成装置１００と同じ画像形成装置１００を示すブロック図であり、白黒モードが選択されている場合、または自動判別モードにおいてモノクロ原稿と判定された場合に印刷処理を行う際の画像データの流れを示した図である。
【００７２】
つまり、フルカラーモードの場合、または自動判別モードにおいてカラー原稿と判定された場合の画質調整部１１からの出力は、図１に示されるように、ＲＧＢの画像データと
なるところ、シングルカラーモードの場合の画質調整部１１からの出力は、図２（ａ）に示されるように、ＣＭＹの画像データとなる。なお、２色カラーモードが選択されている場合の画質調整部１１からの出力は、図２（ｂ）に示されるように、ＲＧＢの画像データとなる。また、白黒モードが選択されている場合、または自動判別モードにおいてモノクロ原稿と判定された場合の画質調整部１１からの出力は、図２（ｃ）に示されるように、Ｋの画像データとなる。なお、図２（ａ）は、コピアモードにおいて、シングルカラーモードでの印刷処理が行われる際の画像処理装置１０２の一部のブロックを示したものであり、図２（ｂ）は、コピアモード且つ２色カラーモードにて印刷処理が行われる際の画像処理装置１０２の一部のブロックを示したものであり、図２（ｃ）は白黒モードでの印刷処理、または自動判別モードにおいてモノクロ原稿と判定された画像の印刷処理が行われる際の画像処理装置１０２の一部のブロックを示したものである。
【００７３】
また、画質調整部１１にて実行される鮮やかさの調整は、式１のマトリクスのｒ１〜ｒ３およびａ１〜ａ３の各値を変更した上で当該マトリクスを用いることによって実現可能である。それゆえ、上記の鮮やかさの調整と、シングルカラーモードにおける画像データの変換処理（ＲＧＢからＣＭＹへの変換）とについては、マトリクスを共用でき、画像処理回路を共用できる。よって、本実施形態では、上記の鮮やかさの調整と、シングルカラーモードにおける画像データの変換処理とが、同じ処理部（画質調整部１１）で行われるのである。
【００７４】
同様に、白黒モードが選択されている場合、または自動判別モードにおいてモノクロ原稿と判定された場合に行われる変換処理も、〔数１〕においてａ１＝０．２９９、ａ２＝０．５８７、ａ３＝０．１１４、ｃ＝０、ｒ１＝ｒ２＝ｒ３＝１と設定した場合と同じであるため、画像処理回路を共用できる。よって、本実施形態では、上記の鮮やかさの調整およびシングルカラーモードと、白黒モードが選択されている場合または自動判別モードにおいてモノクロ原稿と判定された場合における画像データの変換処理とが、同じ処理部（画質調整部１１）で行われる。
【００７５】
２色化処理部１２は、２色カラーモードが選択されている場合、図２（ｂ）に示すように、画質調整部１１から出力されたＲＧＢの画像データをＣＭＹの画像データに変換する処理を行うブロックである。なお、２色カラーモードにおいてのＲＧＢの画像データからＣＭＹの画像データへの変換処理は、例えば、特開２００７−２８３３６号公報に記載されている〔実施例１〕または〔実施例２〕の手法にて実現できる。
【００７６】
また、２色化処理部１２は、フルカラーモードの場合、または自動判別モードにおいてカラー原稿と判定された場合、図１に示されるように、画質調整部１１から出力されたＲＧＢの画像データに対して何も処理を行わず、当該画像データをそのまま色補正部１３へ引き渡す（スルーする）。さらに、２色化処理部１２は、シングルカラーモードの場合、または自動判別モードにおいてモノクロ原稿と判定された場合、図２（ａ）に示すように、画質調整部１１から出力されたＣＭＹの画像データに対して何も処理を行わず、当該画像データをそのまま色補正部１３へ引き渡す（スルーする）。
【００７７】
色補正部１３は、フルカラーモードの場合、または、自動判別モードにおいてフルカラー原稿であると判定された原稿について、２色化処理部１２から出力されるＲＧＢの画像データをＣＭＹの画像データに変換する色補正処理を行うと共に、当該画像データに対して色再現性を高める処理を施すブロックである。なお、上記の色補正処理は、入力値（ＲＧＢ）と出力値（ＣＭＹ）とを対応付けたＬＵＴ（ルックアップテーブル）を作成し、作成したＬＵＴから出力値をルックアップすることによって実現される。
【００７８】
また、色補正部１３は、シングルカラーモード、２色カラーモード、あるいは白黒モー
ドの場合、または自動判別モードにおいてモノクロ原稿と判定された場合には、図２（ａ）（ｃ）に示されるように、２色化処理部１２から出力されたＣＭＹの画像データに対して何も処理を行わず、当該画像データをそのまま黒生成／下色除去部１４へ引き渡す（スルーする）。
【００７９】
黒生成／下色除去部１４は、フルカラーモードあるいは２色カラーモードの場合、または自動判別モードにおいてカラー原稿と判定された場合には、色補正部１３から出力されたＣＭＹの画像データから黒（Ｋ）の画像データを生成する黒生成を行う一方、元のＣＭＹの画像データから黒（Ｋ）の画像データを差し引いて新たなＣＭＹの画像データを生成する処理を行うブロックである。これにより、フルカラーモードあるいは２色カラーモードの場合、または自動判別モードにおいてカラー原稿と判定された場合、図１および図２（ｂ）に示されるように、ＣＭＹの画像データは黒生成／下色除去部１４によってＣＭＹＫの４色の画像データに変換される。
【００８０】
また、黒生成／下色除去部１４は、シングルカラーモードあるいは白黒モードの場合、または自動判別モードにおいてモノクロ原稿と判定された場合、図２（ａ）、（ｃ）に示されるように、色補正部１３から出力されたＣＭＹの画像データに対して何も処理を行わず、当該画像データをそのまま後段の空間フィルタ部１５へ引き渡す（スルーする）。
【００８１】
なお、フルカラーモードあるいは２色カラーモードが選択されている場合、または自動判別モードにおいてフルカラー原稿であると判定された原稿については、黒生成／下色除去部１４の出力、および、黒生成／下色除去部１４よりも後段の各ブロックの入出力は、図１のように、ＣＭＹＫの画像データとなる。しかし、シングルカラーモードが選択されている場合、黒生成／下色除去部１４の出力、および、黒生成／下色除去部１４よりも後段の各ブロックの入出力は、図１とは異なり、ＣＭＹの画像データとなる。また、白黒モードまたは自動判別モードにおいてモノクロ原稿であると判定された原稿については、黒生成／下色除去部１４の出力、および、黒生成／下色除去部１４よりも後段の各ブロックの入出力は、図１とは異なり、Ｋの画像データとなる。
【００８２】
空間フィルタ部１５は、黒生成／下色除去部１４より出力されるＣＭＹＫまたはＣＭＹの画像データに対して、領域分離信号（領域識別信号）を基にデジタルフィルタによる空間フィルタ処理（強調処理、平滑化処理等）を行っている。つまり、空間フィルタ部１５では、領域分離信号に基づいて、画像領域毎に異なる画像処理が実行される。
【００８３】
変倍部１６は、操作パネル（不図示）を介して利用者によって入力される変倍コマンド（印刷画像の倍率を示した情報）に基づいて、画像の拡大や縮小処理を行うブロックである。
【００８４】
出力階調補正部１７は、変倍部１６から出力された画像データに対して、用紙等の記録媒体に出力するための出力γ補正処理を行うブロックである。中間調生成部１８は、誤差拡散法やディザ法を用いて、画像出力装置１０３において画像を印刷するために必要な階調再現処理（中間調生成処理）を実行するものである。
【００８５】
そして、中間調生成部１８から出力されるＣＭＹＫまたはＣＭＹの画像データは画像出力装置１０３に引き渡され、画像出力装置１０３は、当該画像データの画像を記録媒体（例えば紙等）上に印刷する。
【００８６】
以上コピアモードかつ印刷処理時における画像処理装置１０２の各ブロックにて実行される処理について説明したが、プレビュー表示後または再プレビュー表示後の印刷処理時においては、Ａ／Ｄ変換部２〜領域分離信号圧縮部８は処理を行わない。すなわち、プレ
ビュー表示後または再プレビュー表示後の印刷処理時には、プレビュー表示時や再プレビュー表示の処理において記憶装置１０７に記録された画像データ、および当該画像データと関連づけて現在記録される、後述する原稿種別データに基づいて印刷処理を行う。なお、プレビュー表示後または再プレビュー表示後の印刷処理時における復号部９〜中間調生成部１８が行う処理は、それぞれ、プレビュー表示をせずに印刷処理を行った場合において復号部９〜中間調生成部１８が行う処理と同一である。
【００８７】
（１−２）プレビュー表示時
つぎに、コピアモードにて印刷対象画像のプレビューを表示する場合に画像処理装置１０２の各ブロックにて実行される処理の内容について図４、図５、および図１３を参照して説明する。
【００８８】
図４は、図１の画像形成装置１００と同じ画像形成装置１００を示すブロック図であり、コピアモードにおいて、フルカラーモードでのプレビュー表示、または、自動判別モードでフルカラー原稿であると判定された画像のプレビュー表示を行う際の画像データの流れを示した図である。
【００８９】
なお、Ａ/Ｄ（アナログ/デジタル）変換部２、シェーディング補正部３、入力処理部４、原稿種別自動判別部５、領域分離処理部６、圧縮部７、領域分離信号圧縮部８、復号部９、画質調整部１１、２色化処理部１２の処理については、印刷処理時と同じであるため、以下ではその説明を省略する。
【００９０】
ただし、画質調整部１１での白黒モードが選択された場合または自動判別モードにおいてモノクロ原稿と判定された場合のプレビュー処理では、ＲＧＢの画像データからＫの画像データへの変換処理は、下記の式３を用いることによって実行される。
【００９１】
【数３】
2010258798.tif 000006
【００９２】
この場合には印刷処理時と異なり、図２０に示すように、画質調整部１１から画像表示装置１０４に渡って各画素においてＫの画像データを３つ送信するようにしている（全て同一値）。これは、フルカラー仕様である画像表示装置１０４が１画素に対して３つの値（画像データ）を必要とするからである。
【００９３】
制御部１０８は、圧縮部７から出力された符号化コード（符号化された画像データ）と領域分離信号圧縮部８から出力された領域分離信号コード（圧縮された領域分離信号）とカラーモノクロ判定信号およびブランク原稿判定信号に基づいて生成される原稿種別データと１からはじまるインクリメント値とを関連づけて一旦記憶装置１０７に保存し、ファイリングデータとして管理する。ここで、上記インクリメント値は、画像の読み取り開始時にリセットされ、上記符号化コードを記憶装置１０７に記録するとその都度インクリメントされる値であり、画像入力装置１０１において何枚目に読み取った原稿であるかを表わす値（以降、原稿のページと称することにする）である。
【００９４】
そして、制御部１０８は、ユーザによりプレビュー表示動作の指示の際に指定された原稿種別に該当する原稿を表わす画像データについて、記憶装置１０７から上記の符号化コードおよび当該符号化コードに対応する領域分離信号コードを読み出し、復号部９、領域分離信号復号部１０にそれぞれ引き渡す。また、制御部１０８は、指定された原稿種別がブランク原稿である場合、ブランク原稿に該当する原稿を表わす画像データのみでなく、当該原稿のページと隣接するページの画像データについても、上記符号化コード、および
、図１０（ｆ）に示すようにブランク原稿の画像に加え、当該ブランク原稿のページと隣接するページの画像についても併せて、符号化コードおよび領域分離信号コードを読み出し、復号部９、領域分離信号復号部１０にそれぞれ引き渡すようにしてもよい。さらに、制御部１０８は、ユーザにより指定された原稿種別でなく、予め定められた原稿種別に該当する原稿を表わす画像について、上記動作を行うようにしてもよい。予め定められた原稿種別とは、記憶装置１０７に記憶されている原稿種別データのうち、記憶されている数が最も少ない原稿種別データが表わす原稿種別（すなわち、例えば、カラーの原稿種別を表わす原稿種別データが８つ、モノクロの原稿種別を表わす原稿種別データが２つ記録されている場合にはモノクロ原稿）であっても良いし、ブランク原稿であってもよい。
【００９５】
また、制御部１０８は、プレビュー表示する原稿の原稿種別ごとの合計枚数を示す値を画像表示装置１０４に表示する。なお、画像処理装置１０２は、制御部１０８においてユーザから指示があった場合のみ上記合計枚数を示す情報を供給するようにしてもよいし、合計枚数を表示する機能を備えていなくともよい。
【００９６】
領域分離信号復号部１０は、図４に示すように、プレビュー表示時において、復号化した領域分離信号を空間フィルタ部１５および出力階調補正部１７に引き渡す。
【００９７】
色補正部１３は、フルカラーモードの場合、または、自動判別モードにおいてフルカラー原稿であると判定された原稿について、ＲＧＢの画像データを入力する。なお、ＲＧＢの画像データは、スキャナ（画像入力装置１０１）の色空間に適合しているデータである。そして、色補正部１３は、このＲＧＢの画像データを画像表示装置１０４の色空間に適合するＲ’Ｇ’Ｂ’の画像データへ変換する処理を行う。
【００９８】
つまり、色補正部１３は、スキャナの画像読取特性に適合したＲＧＢの画像データを表示装置の表示特性に適合したＲ’Ｇ’Ｂ’の画像データに変換する処理を行っているのである。なお、ＲＧＢの画像データをＲ’Ｇ’Ｂ’の画像データに変換する処理も、入力値（ＲＧＢ）と出力値（Ｒ’Ｇ’Ｂ’）とを対応付けたＬＵＴを作成し、作成したＬＵＴから出力値をルックアップすることによって実現される。
【００９９】
そして、本実施形態では、フルカラー原稿であると判定された画像データについて行われる、印刷処理時のＲＧＢの画像データからＣＭＹＫの画像データへの変換処理と、プレビュー表示時のＲＧＢの画像データからＲ’Ｇ’Ｂ’ の画像データへの変換処理とにつ
いて、画像処理回路を共用している。
【０１００】
ここで、図４は、自動判別モードにおいてフルカラー原稿であると判定された画像をプレビュー表示する場合の画像形成装置１００を示したものであり、色補正部１３は、ＲＧＢの画像データを入力するようになっている。しかし、シングルカラーモードあるいは２色カラーモードの場合、図５（ａ）（ｂ）に示すように、色補正部１３はＣＭＹの画像データを入力するようになっている。また、白黒モードが選択された場合、または自動判別モードにおいてモノクロ原稿と判定された場合には、図５（ｃ）に示すように、色補正部１３では処理を行なわず、入力信号をそのまま出力する。なお、図５（ａ）は、コピアモードにおいて、シングルカラーモードでのプレビュー表示処理が行われる際の画像処理装置１０２の一部のブロックを示したものであり、図５（ｂ）は、コピアモード且つ２色カラーモードにてプレビュー表示処理が行われる際の画像処理装置１０２の一部のブロックを示したものであり、図５（ｃ）は、コピアモードにおいて、自動判別モードにおいてモノクロ原稿と判定された画像のプレビュー表示処理が行われる際の画像処理装置１０２の一部のブロックを示したものである。
【０１０１】
そして、色補正部１３は、シングルカラーモードあるいは２色カラーモードの場合、Ｃ
ＭＹの画像データをＲ’Ｇ’Ｂ’の画像データに変換する処理を行う。つまり、色補正部１３は、印刷処理の印刷特性に適合したＣＭＹの画像データを表示装置の表示特性に適合したＲ’Ｇ’Ｂ’の画像データに変換する処理を行っているのである。なお、ＣＭＹの画像データをＲ’Ｇ’Ｂ’の画像データに変換する処理も、入力値（ＣＭＹ）と出力値（Ｒ’Ｇ’Ｂ’）とを対応付けたＬＵＴを作成し、作成したＬＵＴから出力値をルックアップすることによって実現される。
【０１０２】
黒生成／下色除去部１４は、図４および図５に示すように、シングルカラーモード、２色カラーモード、あるいは白黒モードの場合、または、自動判別モードでフルカラー原稿あるいはモノクロ原稿と判定された場合のいずれの場合であっても、色補正部１３から出力された画像データに対して何も処理を行わず、当該画像データをそのまま後段の空間フィルタ部１５へ引き渡す（スルーする）。
【０１０３】
空間フィルタ部１５は、黒生成／下色除去部１４より出力された画像データに対して、領域分離信号を基にデジタルフィルタによる空間フィルタ処理（強調処理、平滑化処理等）を行っている。つまり、空間フィルタ部１５では、印刷処理時と同様、領域分離信号に基づいて、画像領域毎に異なる画像処理が実行される。
【０１０４】
変倍部１６は、空間フィルタ部１５から出力された画像データからなる画像の画素数を画像表示装置１０４の画素数に変換する間引き処理（画素数を減少する処理）を行う。画像形成装置１００の操作パネルに備えられる画像表示装置１０４は、印刷を行う画像データの解像度と比較すると低解像度であり、通常、極めて小型のディスプレイである。それゆえ、プレビュー表示時においては、画像データを間引く必要がある。また、変倍部１６では、画像形成装置に備えられる操作パネル（不図示）より入力される変倍コマンド（表示倍率を示す情報、例えば２〜４倍等の固定倍率）に基づいて画像の拡大や縮小処理がなされる。
【０１０５】
出力階調補正部１７は、変倍部１６から出力されてきた画像データに対して、領域分離信号を基に出力γ補正処理を行っている。より具体的に説明すると、出力階調補正部１７は、領域分離信号を基に、画像領域に応じて異なるガンマ曲線を選択し、画像領域毎に出力γ補正処理の内容を異ならせている。例えば、文字以外の領域に対しては、画像表示装置１０４の表示特性に応じたガンマ曲線が選択され、文字領域に対しては、文字をくっきりと表示させるためのガンマ曲線が選択される。ここで、図６（ａ）は、画像表示装置１０４の表示特性に応じたガンマ曲線である。また、図６（ｂ）の実線で示される曲線は文字をくっきりと表示させるためのガンマ曲線である。なお、図６（ｂ）の破線は、画像表示装置１０４の表示特性に応じたガンマ曲線であり、文字をくっきりと表示させるためのガンマ曲線と比較するために図示したものである。
【０１０６】
なお、本実施形態では、出力階調補正部１７は、領域分離信号に基づいてガンマ曲線の選択を行っているが、領域分離信号による選択を行わないで図６（ａ）のガンマ曲線のみを用いて出力階調補正を行うようにしても良い。
【０１０７】
また、出力階調補正部１７は、記憶装置１０７にてブランク原稿を示す原稿種別と関連づけて記録されている画像データを処理する場合には、上記出力γ補正処理により得られる画像データに対して、さらに、図１３に示すようなガンマ曲線で表わされるガンマ補正処理（ブランク原稿用追加ガンマ処理）を行うように示すようにしてもよい。図１３のガンマ曲線が示すように、ブランク原稿用追加ガンマ処理により得られる画像データは、当該処理前の画像データよりもハイライト領域のコントラストが大きくなり、当該処理を行わないとしたらプレビュー表示したときに見づらくなるような文字や絵柄が強調されて見やすく表示されることになる。より詳細には、例えば、原稿色が白（例えば階調値がＲ：
２５５、Ｇ：２５５、Ｂ：２５５）のブランク原稿に、薄い文字や絵柄（当該階調値がＲ：２４０以上、Ｇ：２４０以上、Ｂ：２４０以上）含まれている場合に、当該処理後に得られる画像データが表わす画像の上記文字や絵柄部分の階調値が処理前よりも低くなる（例えばＲ：２００、Ｇ：２００、Ｂ：２００程度）。従って、処理後の画像データが表わす画像の上記文字や絵柄部分は、処理を行わない場合に比べ、原稿色に対してより濃く強調され見やすく表示されることになる。なお、本実施形態においては、出力階調補正部１７は上記ブランク原稿用追加ガンマ処理を行うが、本発明においてこの処理は必ずしも行われなくてもよい。
【０１０８】
そして、中間調生成部１８は、出力階調補正部１７から出力された画像データに対して何も処理を行わず、当該画像データをそのまま後段の画像表示装置１０４へ引き渡す（スルーする）。これにより、画像表示装置１０４は、画像データに基づいて、コピー対象となる画像のプレビューを表示できる。
【０１０９】
なお、出力階調補正部１７において実行されている出力γ補正処理は、画質調整部１１にて実行されてもよい。
【０１１０】
以上コピアモードかつプレビュー表示時における画像処理装置１０２の各ブロックにて実行される処理について説明したが、プレビュー表示後の再プレビュー表示においては、Ａ／Ｄ変換部２〜領域分離信号圧縮部８は処理を行わない。すなわち、再プレビュー表示時には、最初のプレビュー表示時の処理において記憶装置１０７に記録された画像データを用いて再プレビュー表示を行う。なお、再プレビュー表示時における復号部９〜中間調生成部１８が行う処理は、それぞれ、最初のプレビュー表示時に復号部９〜中間調生成部１８が行う処理と同一である。
【０１１１】
（１−３）各ブロックの動作/非動作について
以上のように、フルカラーモードが選択された場合および自動原稿モードでカラー原稿と判定された場合の印刷時では、画質調整部１１〜中間調生成部１８のうち、２色化処理部１２は動作しないが、それ以外のブロックは全て動作することになる（図１参照）。これに対し、フルカラーモードが選択された場合の原稿画像、および自動原稿モードでカラー原稿であると判定された原稿画像のプレビュー表示時では、画質調整部１１〜中間調生成部１８のうち、２色化処理部１２と黒生成／下色除去部１４と中間調生成部１８とは動作しないが、それ以外のブロックは全て動作することになる（図３参照）。
【０１１２】
また、２色カラーモードの印刷時では、画質調整部１１〜中間調生成部１８のうち、色補正部１３は動作しないが、それ以外のブロックは全て動作することになる（図２（ｂ）参照）。これに対し、２色カラーモードのプレビュー表示時では、画質調整部１１〜中間調生成部１８のうち、黒生成／下色除去部１４と中間調生成部１８とが動作しないが、それ以外のブロックは全て動作することになる（図４（ｂ）参照）。
【０１１３】
さらに、シングルカラーモードの印刷時では、画質調整部１１〜中間調生成部１８のうち、２色化処理部１２と色補正部１３と黒生成／下色除去部１４とが動作しないが、それ以外のブロックは全て動作することになる（図２（ａ）参照）。これに対し、シングルカラーモードのプレビュー表示時では、画質調整部１１〜中間調生成部１８のうち、２色化処理部１２と黒生成／下色除去部１４と中間調生成部１８とが動作しないが、それ以外のブロックは全て動作することになる（図４（ａ）参照）。
【０１１４】
また、白黒モードが選択された場合、および自動原稿モードでモノクロ原稿と判定された場合の印刷時には、画質調整部１１〜中間調生成部１８のうち、２色化処理部１２と色補正部１３と黒生成／下色除去部１４は動作しないが、それ以外のブロックは全て動作す
ることになる（図２（ｃ）参照）。白黒モードが選択された場合および自動原稿モードでモノクロ原稿と判定された場合のプレビュー表示時でも、画質調整部１１〜中間調生成部１８のうち、２色化処理部１２と色補正部１３と黒生成／下色除去部１４と中間調生成部１８は動作しないが、それ以外のブロックは全て動作することになる（図５（ｃ）参照）。
【０１１５】
（１−４）処理手順について
つぎに、コピアモードかつ自動判別モードが選択された場合の処理手順の一例を図７〜図１２に基づいて説明する。図７は、コピアモードが選択された場合における画像形成装置の処理手順の一例を示したフローチャートである。
【０１１６】
画像形成装置１００は、コピアモードかつ自動判別モードが選択され、スタートキーが押されると（Ｓ１にてＹＥＳ）、原稿をスキャンすることによって（Ｓ２）、ＲＧＢのアナログ信号を生成する。なお、Ｓ１のスタートキーを押す前において、利用者は、図８に示すメイン表示画面を通じて、プレビュー表示の要否を示す設定情報、およびプレビュー表示する場合にはプレビュー表示する原稿種別の指示を入力することにより、画像形成装置１００に対してプレビュー表示の有無を設定しているものとする。
【０１１７】
Ｓ２の後、画像形成装置１００は、ＲＧＢのアナログ信号をＲＧＢの画像データ（デジタルデータ）に変換し（Ｓ３）、上記画像データに対してシェーディング補正を施し（Ｓ４）、シェーディング補正後のＲＧＢの画像データに対して入力γ補正処理を施す（Ｓ５）。
【０１１８】
Ｓ５の後、画像形成装置１００は、ＲＧＢの画像データに基づいて原稿種別判定および領域分離処理を行い（Ｓ６）、さらに、ＲＧＢの画像データと領域分離信号を記憶装置１０７に保存する（Ｓ７）。その後、画像形成装置１００は、「プレビュー表示有」が設定されているか否かを判定し（Ｓ８）、「プレビュー表示有り」が設定されていない場合はＳ９〜Ｓ１６の処理を実行し、「プレビュー表示有」が設定されている場合はＳ１７〜Ｓ２６の処理を実行することになる。以下では、まずＳ９〜Ｓ１６について説明し、その後、Ｓ１７〜Ｓ２６について説明する。
【０１１９】
「プレビュー表示有」が設定されていない場合（Ｓ８においてＮＯ）、画像形成装置１００は、ＲＧＢの画像データを記憶装置１０７から読み出し、下地除去補正や鮮やかさの調整等の画質調整処理を行う（Ｓ９）。その後、画像形成装置１００は、スキャナの特性に応じたＲＧＢの画像データを、プリンタの特性に応じたＣＭＹの画像データに変換し（Ｓ１０）、さらに、ＣＭＹの画像データをＣＭＹＫの画像データに変換する（Ｓ１１）。その後、画像形成装置１００は、領域分離処理の結果を基にＣＭＹＫの画像データに対して空間フィルタ処理を行い（Ｓ１２）、空間フィルタ処理後のＣＭＹＫの画像データに対して変倍処理を施す（Ｓ１３）。Ｓ１３の後、画像形成装置１００は、ＣＭＹＫの画像データに対して出力γ補正処理および階調再現処理を行い（Ｓ１４，Ｓ１５）、当該画像データの画像を用紙に印刷し（Ｓ１６）、処理を終了する。
【０１２０】
一方、Ｓ８において「プレビュー表示有」が設定されていると判定された場合（Ｓ８においてＹＥＳ）、画像形成装置１００は、プレビュー表示が指示された原稿種別を表わす原稿種別データと関連づけて記録されているＲＧＢの画像データを記憶装置１０７から読み出し、Ｓ９の画質調整処理と同じ画質調整処理を行う（Ｓ１７）。その後、画像形成装置１００は、スキャナの特性に応じたＲＧＢの画像データを、表示装置の特性に応じたＲ’Ｇ’Ｂ’の画像データに変換する（Ｓ１８）。Ｓ１８の後、画像形成装置１００は、領域分離処理の結果を基にＲ’Ｇ’Ｂ’の画像データに対して空間フィルタ処理を行い（Ｓ１９）、Ｒ’Ｇ’Ｂ’の画像データがディスプレイの解像度およびサイズに適合するもの
になるように当該Ｒ’Ｇ’Ｂ’の画像データに対して間引き処理を行う（Ｓ２０）。Ｓ２０の後、画像形成装置１００は、領域分離処理の結果を基に、Ｒ’Ｇ’Ｂ’の画像データに対して出力γ補正処理を行う（Ｓ２１）。なお、プレビュー表示が指示された原稿種別が「ブランク」である場合にはＳ２１において出力γ補正処理の後に前述したブランク原稿用追加ガンマ処理を行う。Ｓ２１の後、画像形成装置１００は、Ｒ’Ｇ’Ｂ’の画像データに基づいてプレビュー表示を行う（Ｓ２２）。
【０１２１】
このとき、制御部１０８は、図１０（ｂ）〜（ｇ）に示すように、プレビュー表示された画像１４０１ごとに、記憶装置１０７に記録されている原稿種別データとインクリメント値とに基づいて、画像の原稿種別１４０３およびページ番号１４０２をユーザが認識することができるように画像表示装置１０４の表示画面１４００にプレビュー表示を行う。
【０１２２】
そして、Ｓ２２の後、プレビュー表示している画像の原稿種別を他の原稿種別に更新する旨の指示を利用者から受け付けると（Ｓ２３においてＹＥＳ）、画像形成装置１００は、ユーザから指定された上記他の原稿種別に基づいて、記憶装置１０７に記憶されている当該画像の原稿種別データを上記他の原稿種別に基づいて更新する。そして、画像形成装置１００は、ＲＧＢの画像データを読み出し、変更後の原稿種別設定に応じた再プレビュー表示処理を行い（Ｓ２４）、Ｓ２３の処理に戻る。
【０１２３】
なお、Ｓ２３における上記コマンドの入力は、図１１に示す判定結果変更画面を通じて行われる。判定結果変更画面は、図１０（ｂ）〜（ｅ）でプレビュー表示している画像中の一の画像の選択をユーザから受け付けたときに表示される画面である。図１１に示すように、判定結果変更画面には、選択された画像とともに原稿種別が表示されている。また、判定結果変更画面には、原稿種別を変更するボタン（「カラー判定」「白黒判定」「ブランク原稿判定」）が表示される。ここで、ユーザが「ブランク原稿判定」ボタンを選択すると、画像形成装置１００は、原稿種別を「ブランク原稿」に更新する。そして、図９（ａ）（ｂ）に示すように、記憶装置１０７に記録されているｔページ目の原稿種別データが「カラー」から「ブランク」に更新される（ｔページは、原稿種別を更新した画像のページである）。
【０１２４】
一方、プレビュー表示している画像の原稿種別を他の原稿種別に更新する旨の指示が行われず（Ｓ２３においてＮＯ）、プリント許可を示すコマンドが利用者から入力されると（Ｓ２４にてＹＥＳ）、画像形成装置１００は、記憶装置１０７に記憶されているＲＧＢの画像データ、および原稿種別データを再度読み出し、これらのデータに基づいて印刷処理を実行する。プリント許可を示すコマンドが入力されない場合、Ｓ２５の処理に進む。そして、Ｓ２５において、プリント取消を示すコマンドが利用者から入力されると（Ｓ２５にてＹＥＳ）、画像形成装置１００は処理を終了する。
【０１２５】
なお、Ｓ２３〜Ｓ２６のループの処理中に、プレビュー表示した原稿種別と異なる原稿種別のプレビュー表示の指示をユーザから受け付けることが可能である。当該指示を受け付けると、画像形成装置１００は、指示された原稿種別を表わす原稿種別データと関連付けて記録されているＲＧＢの画像データを記憶装置１０７から読み出し、原稿種別に応じた再プレビュー表示処理を行う。なお、上記指示は、図１０（ａ）が表わす表示画面に表示された原稿種別のうちいずれかの種別を押下することにより行われる。また、上記指示をユーザが行うために表示される表示画面は、図１２（ａ）が表わす表示画面であってもよい。各原稿種別に括弧書きで表示されている数は、プレビュー表示する原稿の原稿種別ごとの合計枚数を示す値である。
【０１２６】
（２）ファクシミリ送信モード
（２−１）送信処理時（画像送信ジョブ時）
図１４は、図１の画像形成装置１００と同じ画像形成装置１００を示すブロック図であり、ファクシミリ送信モードにて送信処理を行う際の画像データの流れを示した図である。なお、Ａ/Ｄ（アナログ/デジタル）変換部２、シェーディング補正部３、入力処理部４、原稿種別自動判別部５、領域分離処理部６、圧縮部７、領域分離信号圧縮部８、復号部９の処理については、コピアモードの場合と同じであるため、以下ではその説明を省略する。
【０１２７】
領域分離信号復号部１０は、ファクシミリ送信モードでは、記憶装置１０７から領域分離信号コードを読み出して復号化し、復号化した領域分離信号を空間フィルタ部１５へ送信する。
【０１２８】
画質調整部１１は、復号部９から出力されたＲＧＢの画像データをＫの画像データ（グレーの濃淡を示す値）に変換する。なお、この変換は、所定のマトリクス係数や前述の式２を用いることによって行われる。
【０１２９】
２色化処理部１２、色補正部１３、黒生成／下色除去部１４は、画質調整部１１から出力されたＫの画像データ（信号）に対して何も処理を行わず、このＫの画像データをそのまま後段の空間フィルタ部１５へ引き渡す（スルーする）。
【０１３０】
空間フィルタ部１５は、Ｋの画像データに対して、領域分離信号を基にデジタルフィルタによる空間フィルタ処理（強調処理，平滑化処理等）を行っている。変倍部１６は、送信解像度に応じてＫの画像データに対して変倍処理を行う。出力階調補正部１７は、変倍部１６から出力されたＫの画像データに対して出力γ補正処理（用紙等の記録媒体に出力するためのγ補正）を行う。中間調生成部１８は、例えば誤差拡散法によって、Ｋの画像データを２値化画像データに変換する。そして、２値化画像データは、不図示の回転処理部によって必要に応じて回転処理がなされ、不図示の圧縮／伸張処理部によって所定の形式で圧縮されて、不図示のメモリに格納される。
【０１３１】
その後、送信装置（例えば、モデム）１０６は、相手先との送信手続きを行い送信可能な状態を確保すると、上記メモリに格納されている２値化画像データを所定の形式で圧縮された状態で読み出し、圧縮形式の変更など必要な処理を施し、通信回線を介して当該２値化画像データを相手先に順次送信する。
【０１３２】
（２−２）プレビュー表示時
図１５は、図１の画像形成装置１００と同じ画像形成装置１００を示すブロック図であり、ファクシミリ送信モードにてプレビュー表示処理を行う際の画像データの流れを示した図である。なお、ファクシミリ送信モードにおけるプレビュー表示とは、ファクシミリ送信前において当該ファクシミリ送信する画像のプレビュー表示を行う処理を意味する。
【０１３３】
プレビュー表示時において、Ａ／Ｄ変換部２、シェーディング補正部３、入力処理部４、原稿種別自動判別部５、領域分離処理部６、圧縮部７、領域分離信号圧縮部８、復号部９、領域分離信号復号部１０、画質調整部１１、空間フィルタ部１５の処理は、ファクシミリの送信処理時と同じであるため、その説明を省略する。ただし、画質調整部１１での変換式は式３を用いる。また、２色化処理部１２、色補正部１３、黒生成／下色除去部１４での処理は、ファクシミリの送信処理時と同じように、スルーされる。
【０１３４】
但し、プレビュー表示時においては、送信処理時と異なり、図１５に示すように、画質調整部１１から画像表示装置１０４に渡って各画素においてＫの画像データを３つ送信するようにしている（全て同一値）。これは、フルカラー仕様である画像表示装置１０４が１画素に対して３つの値（画像データ）を必要とするからである。
【０１３５】
変倍部１６は、空間フィルタ部１５から出力されたＫの画像データからなる画像の画素数が画像表示装置１０４の表示サイズの画素数に適合するように、Ｋの画像データに対して間引き処理を行う。また、変倍部１６では、画像形成装置に備えられる操作パネル（不図示）より入力される変倍コマンド（表示倍率を示す情報、例えば２〜４倍等の固定倍率）に基づいて画像の拡大や縮小処理がなされる。
【０１３６】
出力階調補正部１７は、変倍部１６から出力されたＫの画像データに対して、画像表示装置１０４の表示特性に応じたγ補正を行う。そして、中間調生成部１８は、出力階調補正部１７から出力されたＫの画像データに対して何も処理を行わず、当該Ｋの画像データをそのまま後段の画像表示装置１０４へ引き渡す（スルーする）。これにより、画像表示装置１０４は、Ｋの画像データに基づいて、ファックス送信の対象となる画像のプレビューを表示できる。なお、出力階調補正部１７は、コピアモードの場合と同様にγ補正を行った後に、ブランク原稿用追加ガンマ処理を行ってもよい。
【０１３７】
また、ファクシミリ送信モードのプレビュー表示処理時では、画質調整部１１において、ＲＧＢの画像データが３つのＫの画像データに変換される形態となっている。しかし、このような形態に限定されるものではなく、例えば、出力階調補正部１７まではＲＧＢの画像データをＫの画像データに変換することなく画像処理を行い、出力階調補正部１７から出力されたＲＧＢの画像データをブラウザによってＫの画像データに変換するような形態であってもよい。
【０１３８】
（２−３）各ブロックの動作/非動作について
以上のように、ファクシミリ送信モードの送信処理時では、画質調整部１１〜中間調生成部１８のうち、２色化処理部１２、色補正部１３、黒生成／下色除去部１４は動作しないが、それ以外のブロックは全て動作することになる（図７参照）。これに対し、ファクシミリ送信モードのプレビュー表示時では、画質調整部１１〜中間調生成部１８のうち、２色化処理部１２、色補正部１３、黒生成／下色除去部１４、中間調生成部１８は動作しないが、それ以外のブロックは全て動作することになる（図８参照）。
【０１３９】
（２−４）処理手順
つぎに、ファクシミリ送信モードにおける処理手順の一例を説明する。画像形成装置１００において「プレビュー表示有り」の設定がされていない状態で、利用者によってファックス送信コマンドが入力された場合、図１４に示されるように画像データが処理され、当該画像データが外部装置へ送信されることになる。なお、前述したように、ブランク原稿であると判定された原稿の画像データについては、外部装置への送信は行われない。
【０１４０】
これに対し、画像形成装置１００において「プレビュー表示有り」の設定がされている状態で、利用者によってファックス送信コマンドが入力された場合、図８に示されるように画像データが処理されることによって、当該画像データが記憶装置１０７に保存され、且つ、当該画像データのうち、利用者に指定された原稿種別、または前述の予め定められた原稿種別に基づいて選択された画像のプレビューが画像表示装置１０４に表示される。そして、プレビューが表示されている状態において送信許可を示すコマンドが利用者から入力されると、記憶装置１０７の画像データが読み出され、読み出された画像データは図７に示されるように復号部９〜中間調生成部１８によって処理され、送信装置１０６によって外部装置に送信される。
【０１４１】
（３）ファクシミリ受信モード
（３−１）印刷処理時（画像印刷ジョブ時）
図１６は、図１の画像形成装置１００と同じ画像形成装置１００を示すブロック図であ
り、ファクシミリ受信モードにて印刷処理を行う際の画像データの流れを示した図である。
【０１４２】
ファクシミリを受信する場合、受信装置１０５が、通信手続きを行いながら相手先から送信されてくるＫの画像データ（１ビット）を受信する。そして、受信装置１０５にて受信されたＫの画像データは、圧縮/伸張処理部（不図示）にて伸張処理が施され、回転処
理部（不図示）にて必要に応じて回転処理が施され、解像度変換部（不図示）にて必要に応じて解像度変換処理が行なわれる。その後、当該画像データは、一旦、記憶装置１０７に保存される。
【０１４３】
さらに、記憶装置１０７に書き込まれた画像データは、制御部１０８によって画像処理装置１０２の復号部９に引き渡される。復号部９、画質調整部１１、２色化処理部１２、色補正部１３、黒生成／下色除去部１４、空間フィルタ部１５、変倍部１６、出力階調補正部１７および中間調生成部１８は、記憶装置１０７から送られてきた画像データに対して何も処理を行わず、当該画像データをそのまま後段の画像出力装置１０３へ引き渡す（スルーする）。画像出力装置１０３は、中間調生成部１８より送られてきたＫの画像データに基づいて記録媒体（例えば紙等）上に画像を形成する。なお、ファクシミリ受信モードにて印刷処理を行う場合、上記のように画像処理を行わないので、記憶装置１０７に格納されている画像データを直接画像出力装置１０３に出力するようにしても良い。
【０１４４】
（３−２）プレビュー表示時
図１７は、図１の画像形成装置１００と同じ画像形成装置１００を示すブロック図であり、ファクシミリ受信モードにてプレビュー表示処理を行う際の画像データの流れを示した図である。なお、ファクシミリ受信モードにおけるプレビュー表示とは、ファクシミリにて画像データを受信した場合、当該画像データの画像を印刷する前に印刷される画像のプレビュー表示を行う処理を意味する。
【０１４５】
ファクシミリ受信モードにおけるプレビュー表示時においても、ファクシミリ受信モードにおける印刷処理時と同様、記憶装置１０７に書き込まれた画像データは、制御部１０８によって画像処理装置１０２の復号部９に引き渡される。復号部９は、記憶装置１０７から送られてきた画像データに対して何も処理を行わず、不図示のビット数変換処理部に当該画像データを引き渡す（スルーする）。そして、ビット数変換処理部は、復号部９から受け取った画像データのビット数を変換し（例えば１ビットから８ビットへ変換）、ビット数変換された画像データを後段の画質調整部１１へ引き渡す。つまり、図示はしていないものの、図１７において復号部９と画質調整部１１との間にビット数変換処理部が備えられていることになる。
【０１４６】
画質調整部１１は、図１７に示すように、画素毎に、１つのＫの画像データを入力すると、このＫの画像データを３つ生成して出力している（全て同一値）。これは、フルカラー仕様である画像表示装置１０４が１画素に対して３つの値を必要とするからである。
【０１４７】
その後、２色化処理部１２、色補正部１３、黒生成／下色除去部１４は、画質調整部１１から送られてきたＫの画像データに対して何も処理を行わず、当該画像データをそのまま後段の空間フィルタ部１５へ引き渡す（スルーする）。空間フィルタ部１５は、Ｋの画像データに対してデジタルフィルタを用いてぼかし処理等を行う。
【０１４８】
変倍部１６は、空間フィルタ部１５から出力されたＫの画像データからなる画像の画素数が画像表示装置１０４の表示サイズの画素数に適合するように、Ｋの画像データに対して間引き処理を行う。また、変倍部１６では、画像形成装置１００に備えられる操作パネル（不図示）より入力される変倍コマンド（表示倍率を示す情報、例えば２〜４倍等の固
定倍率）に基づいて画像の拡大や縮小処理がなされる。
【０１４９】
出力階調補正部１７は、変倍部１６から出力されたＫの画像データに対して、画像表示装置１０４の表示特性に応じた出力γ補正処理を行う。そして、中間調生成部１８は、出力階調補正部１７から出力されたＫの画像データに対して何も処理を行わず、当該画像データをそのまま後段の画像表示装置１０４へ引き渡す（スルーする）。これにより、画像表示装置１０４は、Ｋの画像データに基づいて、ファックス受信された画像のプレビューを表示できる。
【０１５０】
（３−３）各ブロックの動作/非動作について
以上のように、ファクシミリ受信モードの印刷処理時では、画質調整部１１〜中間調生成部１８は動作しない（図１６参照）。これに対し、ファクシミリ受信モードのプレビュー表示時では、画質調整部１１〜中間調生成部１８のうち、２色化処理部１２、色補正部１３、黒生成／下色除去部１４、中間調生成部１８は動作しないが、それ以外のブロックは全て動作することになる（図１７参照）。
【０１５１】
（３−４）処理手順
つぎに、ファクシミリ受信モードの処理手順の一例を説明する。画像形成装置１００においてファクシミリによって画像データが受信された場合、受信された画像データは一旦記憶装置１０７に書き込まれる。ここで、画像データが記憶装置１０７に書き込まれてから画像の印刷が行われるまでにはタイムラグがあるが、このタイムラグ中に利用者から「プレビューコマンド」が入力された場合、上記画像データは図１０に示されるような流れで処理され、当該画像データの画像のプレビューが画像表示装置１０４に表示される。また、画像の印刷が行われる際は、図１６に示されるような流れで処理され、当該画像データの画像が画像出力装置１０３にて印刷されることになる。
【０１５２】
（４）イメージ送信モード
（４−１）送信処理時（画像送信ジョブ時）
イメージ送信モードの送信処理時にて画像形成装置１００を動作させる場合、画像入力装置１０１、Ａ/Ｄ（アナログ/デジタル）変換部２、シェーディング補正部３、入力処理部４、原稿種別自動判別部５、領域分離処理部６、圧縮部７、領域分離信号圧縮部８、復号部９の処理内容は、コピアモードの場合と同じである。なお、領域分離信号復号部１０は空間フィルタ部１５および出力階調補正部１７に対して領域分離信号を供給している。
【０１５３】
そして、画質調整部１１にて下色除去やカラーバランス調整が行われ、色補正部１３において、一般に普及している表示装置の表示特性に適合したＲ”Ｇ”Ｂ”の画像データ（例えば、ｓＲＧＢデータ）に変換され、空間フィルタ部１５にて領域分離信号を基にデジタルフィルタによる空間フィルタ処理（強調処理，平滑化処理）が行われている。変倍部１６にて画像の拡大や縮小処理が行われる。また、出力階調補正部１７では、例えば、文字領域に対しては図６（ｂ）のガンマ曲線を用いた補正が行われ、文字以外の領域に対しては図６（ａ）のガンマ曲線を用いた補正が行われる。なお、２色化処理部１２、黒生成／下色除去部１４は、入力される画像データに対して処理を行わず、この画像データをそのまま後段のブロックにスルーする。したがって、出力階調補正部１７から出力されるのはＲ”Ｇ”Ｂ”の画像データである。
【０１５４】
さらに、出力階調補正部１７から出力されるＲ”Ｇ”Ｂ”の画像データは、図示しないフォーマット変換処理部にてＰＤＦファイル等の画像ファイルに変換される。そして、イメージ送信モードのscan to e-mailモードにおいて、当該画像ファイルは図示しないメール処理部（ジョブ装置）にて電子メールに添付され、当該電子メールがネットワークを介して相手先に送信されることになる。また、イメージ送信モードのscan to ftpモードに
おいて当該画像ファイルは所定のフォルダに送信され、イメージ送信モードのscan to usbモードにおいて当該画像ファイルは所定のＵＳＢメモリに送信される。
【０１５５】
（４−２）プレビュー表示時
イメージ送信モードのプレビュー表示時にて画像形成装置１００を動作させる場合、画像入力装置１０１、Ａ/Ｄ（アナログ/デジタル）変換部２、シェーディング補正部３、入力処理部４、原稿種別自動判別部５、領域分離処理部６、圧縮部７、領域分離信号圧縮部８、復号部９、領域分離信号復号部１０、画質調整部１１、２色化処理部１２の処理内容は、イメージ送信モードの送信時と共通である。
【０１５６】
そして、イメージ送信モードのプレビュー表示時において、色補正部１３は、ＲＧＢの画像データを画像表示装置１０４の色空間に適合するＲ’Ｇ’Ｂ’の画像データへ変換する処理を行う。
【０１５７】
その後、送信時と同様、空間フィルタ部１５にて領域分離信号を基にデジタルフィルタによる空間フィルタ処理（強調処理，平滑化処理）が行われている。変倍部１６にて画像表示装置１０４のサイズに適合するように間引き処理が行われる。また、出力階調補正部１７では、例えば、文字領域に対しては図６（ｂ）のガンマ曲線を用いた補正が行われ、文字以外の領域に対しては図６（ａ）のガンマ曲線を用いた補正が行われる。なお、出力階調補正部１７は、コピアモードの場合と同様に上記補正を行った後に、ブランク原稿用追加ガンマ処理を行ってもよい。
【０１５８】
そして、出力階調補正部１７から出力されるＲ’Ｇ’Ｂ’の画像データは画像表示装置１０４に供給され、画像表示装置１０４はＲ’Ｇ’Ｂ’の画像データに基づいてプレビュー表示を行う。
【０１５９】
なお、原稿種別自動判別部５は、イメージ送信モードの送信処理時およびプレビュー表示時においては、原稿画像がカラー原稿であるか白黒原稿であるかを判定するのみならず、白黒原稿と判定されたものについてはさらに２値画像（白と黒との２値からなる画像）およびグレースケール画像（階調性を有する画像）のいずれであるかを判定する処理を行ってもよい。この判定処理の手法を以下簡単に説明する。まず、原稿種別自動判別部５は、白黒原稿と判定された画像について、白黒画素（モノクロ画素）と判定された全画素を対象に画素値の度数分布を作成する。そして、原稿種別自動判別部５は、この度数分布が主に白のピークと黒のピークとの２つのピークからなる場合は２値画像と判定し、この度数分布がなだらかである場合はグレースケール画像（階調性を有する画像）と判定する。
【０１６０】
さらに、画像形成装置１００は、原稿種別自動判別部５が原稿画像をグレースケール画像と判定した場合、グレースケール画像であることを利用者に認識させるための識別情報（例えば「グレースケール」の文字）を画像表示装置１０４に表示してもよい。これにより、利用者は、送信される原稿がグレースケール画像であることを認識できる。なお、グレースケール画像であることを利用者に認識させるための識別情報は、プレビュー画像と重ならないように当該プレビュー画像とともに表示される。
【０１６１】
（５）変形例
図１に示した画像形成装置１００では、圧縮画像データ（符号化コード）と領域分離信号コードと原稿種別とを対応付けて記憶装置１０７に格納している。しかし、図１８に示す画像形成装置１００ａのように、画像入力装置１０１にて画像データを読み取った後、領域分離処理および原稿種別判別処理を行う前に、読み取った画像データを符号化して一旦記憶装置１０７に格納しておき、記憶装置１０７から読み出して復号化した画像データについて原稿種別判別処理や領域分離処理を施すように構成しても良い。この場合、原稿
種別自動判別部５は、画像入力装置１にて読み取った全原稿について、原稿を表わす画像データごとに「フルカラー」、「白黒」、「ブランク」の判定を行う。そして、原稿種別自動判別部５は、各原稿について、当該原稿の原稿種別の判定結果を、すでに記憶装置１０７に記録されている当該原稿の画像データと対応付くように記憶装置１０７に記録する。
【０１６２】
また、図１に示した画像形成装置１００は、コピアモード・プリントモード・ファクシミリ送信モード・ファクシミリ受信モード・イメージ送信モード等のジョブの選択中に画像ファイリングモード（画像ファイリングジョブ）を実行可能としてもよい。この画像ファイリングモードとは、コピアモード等のジョブの選択中において、画像入力装置１０１にて得られた画像データまたは外部から受信した画像データに基づいて画像ファイル（ＪＰＥＧ、ＴＩＦＦファイル等）を作成し、この画像ファイルを記憶装置１０７に保存するモードである。
【０１６３】
ここで、画像ファイリングモードのファイリング時において、画像入力装置１０１にて得られた画像データまたは外部から受信した画像データは画像処理装置１０２にて画像ファイル（ＪＰＥＧ、ＴＩＦＦファイル等）に変換され、その後、不図示のファイリング処理部（ジョブ装置）に送られ、このファイリング処理部が上記画像ファイルを記憶装置１０７に保存されるようになっている。
【０１６４】
また、各ジョブ（コピアモード・プリントモード・ファクシミリ送信モード等）の選択中においてプレビューを行う場合、画像ファイリングモードの実行の有無に拘わらず、画像入力装置１０１にて得られた画像データまたは外部から受信した画像データは画像処理装置１０２にて処理され、その後、画像表示装置１０４に送られるようになっている。さらに、各ジョブの選択中においてプレビューを行う場合、画像ファイリングモードの実行の有無に拘わらず、画像処理装置１０２にて実行される画像処理の内容は同一である。例えば、コピアモードのプレビュー表示時、画像ファイリングモードの実行の有無に関係なく、画像処理装置１０２の処理内容は図４に示すものとなる。また、ファクシミリ送信モードのプレビュー表示時、画像ファイリングモードの実行の有無に関係なく、画像処理装置１０２の処理内容は図１５に示すものとなる。
【０１６５】
（６）本実施形態の画像処理装置の利点について
本実施の形態の画像処理装置１０２は、画像入力装置１０１から送られてきた画像データについて、カラーモノクロ判定部５１がカラー画像であるかモノクロ画像であるかの判定結果を示すカラーモノクロ判定信号を出力し、ブランク原稿判定部５３がブランク原稿であるか否かを示すブランク原稿判定信号を出力する。制御部１０８は、出力されたカラーモノクロ判定信号およびブランク原稿判定信号に基づいて原稿種別を表わす原稿種別データと画像データとを関連付けて記憶装置１０７に記録する。そして、制御部１０８は、ユーザから指定された原稿種別または予め定められた原稿種別を表わす原稿種別データと関連付けて記録されている画像データについてのみ、その画像データが表わす画像を画像表示装置１０４にプレビュー表示する。
【０１６６】
これにより、本実施の形態の画像処理装置１０２は、画像を読み取った原稿の枚数が多くても、特定の原稿種別に該当する原稿のプレビュー表示画像をユーザに容易に確認させることが可能であるという効果を奏する。
【０１６７】
（プログラム、記録媒体）
本実施形態は、コンピュータに実行させるためのプログラムコード（実行形式プログラム、中間コードプログラム、ソースプログラム）を記録したコンピュータ読み取り可能な記録媒体に、上記した原稿の再読み取りを行うことなくブランク原稿（白紙原稿）を飛ば
してプレビュー表示を行う画像処理方法を記録するものとすることもできる。この結果、上記画像処理方法を行うプログラムを記録した記録媒体を持ち運び自在に提供することができる。
【０１６８】
なお、本実施の形態では、この記録媒体としては、マイクロコンピュータで処理が行われるために図示していないメモリ、例えばＲＯＭのようなものそのものがプログラムメディアであっても良いし、また、図示していないが外部記憶装置としてプログラム読み取り装置が設けられ、そこに記録媒体を挿入することで読み取り可能なプログラムメディアであってもよい。
【０１６９】
いずれの場合においても、格納されているプログラムコードはマイクロプロセッサがアクセスして実行させる構成であっても良いし、あるいは、いずれの場合もプログラムコードを読み出し、読み出されたプログラムコードは、マイクロコンピュータの図示されていないプログラム記憶エリアにダウンロードされて、そのプログラムコードが実行される方式であってもよい。このダウンロード用のプログラムは予め本体装置に格納されているものとする。
【０１７０】
ここで、上記プログラムメディアは、本体と分離可能に構成される記録媒体であり、磁気テープやカセットテープ等のテープ系、フレキシブルディスクやハードディスク等の磁気ディスクやＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固
定的にプログラムコードを担持する媒体であっても良い。
【０１７１】
また、本実施の形態においては、インターネットを含む通信ネットワークを接続可能なシステム構成であることから、通信ネットワークからプログラムコードをダウンロードするように流動的にプログラムコードを担持する媒体であっても良い。なお、このように通信ネットワークからプログラムコードをダウンロードする場合には、そのダウンロード用のプログラムは予め本体装置に格納しておくか、あるいは別な記録媒体からインストールされるものであっても良い。なお、本発明は、上記プログラムコードが電子的な伝送で具現化された、搬送波に埋め込まれたコンピュータデータ信号の形態でも実現され得る。上記記録媒体は、デジタルカラー画像形成装置やコンピュータシステムに備えられるプログラム読み取り装置により読み取られることで上述した画像処理方法が実行される。
【０１７２】
本発明は上述した各実施形態に限定されるものではなく、請求項に示した範囲で種々の変更が可能であり、上述した実施形態において開示された各技術的手段を適宜組み合わせて得られる実施形態についても本発明の技術的範囲に含まれる。
【産業上の利用可能性】
【０１７３】
本発明の画像処理装置は、画像データを取り扱う装置に用いることができるが、複合機、複写機、プリンタ、ファクシミリ装置に特に好適である。
【符号の説明】
【０１７４】
５    原稿種別自動判別部（原稿種別判定手段）
１１    画質調整部（出力制御手段）
１２    ２色化処理部（出力制御手段）
１３    色補正部（出力制御手段）
１４    黒生成／下色除去部（出力制御手段）
１５    空間フィルタ部（出力制御手段）
１６    変倍部（出力制御手段）
１７    出力階調補正部（出力制御手段）
１８    中間調生成部（出力制御手段）
５１    カラーモノクロ判定部（カラーモノクロ判定手段）
５３    ブランク原稿判定部（ブランク原稿判定手段）
１００    画像形成装置
１０１    画像入力装置（画像読取装置）
１０２    画像処理装置
１０３    画像出力装置（ジョブ装置）
１０４    画像表示装置（出力装置）
１０５    受信装置
１０６    送信装置（ジョブ装置）
１０７    記憶装置
１０８    制御部（出力制御手段、原稿種別受付手段）
【図１】
2010258798.tif 000007
【図２】
2010258798.tif 000008
【図３】
2010258798.tif 000009
【図４】
2010258798.tif 000010
【図５】
2010258798.tif 000011
【図６】
2010258798.tif 000012
【図７】
2010258798.tif 000013
【図８】
2010258798.tif 000014
【図９】
2010258798.tif 000015
【図１０】
2010258798.tif 000016
【図１１】
2010258798.tif 000017
【図１２】
2010258798.tif 000018
【図１３】
2010258798.tif 000019
【図１４】
2010258798.tif 000020
【図１５】
2010258798.tif 000021
【図１６】
2010258798.tif 000022
【図１７】
2010258798.tif 000023
【図１８】
2010258798.tif 000024
【図１９】
2010258798.tif 000025
【図２０】
2010258798.tif 000026